(57)【要約】【課題】内部に内容物が入った印刷物を作成できる内容物入り印刷物作成装置を提供する。【解決手段】内容物入り印刷物作成装置１０は、内部に内容物Ｔが入った印刷物１２を作成する内容物入り印刷物作成装置であって、印刷物１２を構成する、糊が塗布された用紙Ｓを搬送する搬送部３１０と、搬送部３１０によって搬送される用紙Ｓの上に内容物Ｔを供給する供給部と、を備える。【選択図】図３
2019119123.tif 000002
【特許請求の範囲】
【請求項１】
内部に内容物が入った印刷物を作成する内容物入り印刷物作成装置であって、
前記印刷物を構成する、糊が塗布された用紙を搬送する搬送部と、
前記搬送部によって搬送される前記用紙の上に前記内容物を供給する供給部と、を備えた内容物入り印刷物作成装置。
【請求項２】
請求項１記載の内容物入り印刷物作成装置において、
前記内容物を前記用紙の上に供給する位置を制御する位置制御部を更に備えた内容物入り印刷物作成装置。
【請求項３】
請求項２記載の内容物入り印刷物作成装置において、
前記位置制御部が、前記内容物の位置を検出する第１の位置センサと、
前記用紙の位置を検出する第２の位置センサと、を有する内容物入り印刷物作成装置。
【請求項４】
請求項３記載の内容物入り印刷物作成装置において、
前記内容物を供給する供給位置よりも搬送方向上流側に設けられ、前記用紙の両方の長辺側の第１の端部にそれぞれ前記糊を塗布する第１の塗布機と、
前記供給位置より搬送方向下流側に設けられ、前記用紙の短辺側の第２の端部に前記糊を塗布する第２の塗布機と、を更に備えた内容物入り印刷物作成装置。
【請求項５】
請求項４記載の内容物入り印刷物作成装置において、
前記搬送部が、前記用紙を該用紙の長手方向に搬送する内容物入り印刷物作成装置。
【請求項６】
請求項５記載の内容物入り印刷物作成装置において、
前記搬送部が、前記内容物が載った前記用紙の上面側に接触するローラを有し、
前記ローラの幅が、前記第１の端部に塗布された前記糊の間の距離よりも小さく設定されている内容物入り印刷物作成装置。
【発明の詳細な説明】
【技術分野】
【０００１】
本発明は、内容物入り印刷物作成装置に関する。
【背景技術】
【０００２】
特許文献１には、感圧接着剤を設けた封筒用紙を内容物と共に折り畳んで封緘する封書作成装置が記載されている。この封書作成装置は、作成すべき封書ごとに封筒となる封筒用紙及び内容物をそれぞれ印刷する印刷部と、印刷部で印刷された封筒用紙を搬送する第１の搬送経路と、印刷部で印刷された内容物を搬送する第２の搬送経路と、第１の搬送経路と第２の搬送経路が合流する位置に配置され、内容物を内包するように封筒用紙を折り曲げて封入封緘することによって封書を作成する封入封緘部とを備え、封入封緘部には、その搬送方向とは交差する封筒の幅方向の両縁部にそれぞれ圧力を加えて封緘を行なう圧着手段が設けられている。
【先行技術文献】
【特許文献】
【０００３】
【特許文献１】特開２０１２−９１３７６号公報
【発明の概要】
【発明が解決しようとする課題】
【０００４】
本発明は、内部に内容物が入った印刷物を作成できる内容物入り印刷物作成装置を提供することを目的とする。
【課題を解決するための手段】
【０００５】
請求項１に記載の発明は、内部に内容物が入った印刷物を作成する内容物入り印刷物作成装置であって、前記印刷物を構成する、糊が塗布された用紙を搬送する搬送部と、前記搬送部によって搬送される前記用紙の上に前記内容物を供給する供給部と、を備えた内容物入り印刷物作成装置である。
【０００６】
請求項２に記載の発明は、請求項１記載の発明において、前記内容物を前記用紙の上に供給する位置を制御する位置制御部を更に備えている。
【０００７】
請求項３に記載の発明は、請求項２記載の発明において、前記位置制御部が、前記内容物の位置を検出する第１の位置センサと、前記用紙の位置を検出する第２の位置センサと、を有する。
【０００８】
請求項４に記載の発明は、請求項３記載の発明において、前記内容物を供給する供給位置よりも搬送方向上流側に設けられ、前記用紙の両方の長辺側の第１の端部にそれぞれ前記糊を塗布する第１の塗布機と、前記供給位置より搬送方向下流側に設けられ、前記用紙の短辺側の第２の端部に前記糊を塗布する第２の塗布機と、を更に備えている。
【０００９】
請求項５に記載の発明は、請求項４記載の発明において、前記搬送部が、前記用紙を該用紙の長手方向に搬送する。
【００１０】
請求項６に記載の発明は、請求項５記載の発明において、前記搬送部が、前記内容物が載った前記用紙の上面側に接触するローラを有し、前記ローラの幅が、前記第１の端部に塗布された前記糊の間の距離よりも小さく設定されている。
【発明の効果】
【００１１】
本発明によれば、内部に内容物が入った印刷物を作成できる内容物入り印刷物作成装置を提供できる。
【図面の簡単な説明】
【００１２】
【図１】（Ａ）、（Ｂ）は、それぞれ、本発明の一実施の形態に係る印刷物入り圧着ハガキ作成装置によって作成される圧着ハガキ及びその変形例の説明図である。
【図２】同印刷物入り圧着ハガキ作成装置の構成図であって、ハガキ用紙の搬送方向を示す説明図である。
【図３】同印刷物入り圧着ハガキ作成装置が備える折加工機を示す説明図である。
【図４】同印刷物入り圧着ハガキ作成装置が備える折加工機によって折加工されるハガキ用紙を示す説明図である。
【発明を実施するための形態】
【００１３】
続いて、添付した図面を参照しつつ、本発明を具体化した実施の形態につき説明し、本発明の理解に供する。なお、図において、説明に関連しない部分は図示を省略する場合がある。
【００１４】
本発明の一実施の形態に係る印刷物（内容物の一例）入り圧着ハガキ（印刷物の一例）作成装置１０は、図１（Ａ）に示すように、内部に印刷物Ｔが入った二つ折りの圧着ハガキ１２を作成できる。なお、図１において、ハッチングを施した部分（後述する端部Ｐ１、Ｐ２、Ｐ３）は、圧着ハガキ１２の内側の感圧糊が塗布された部分を示している。
印刷物Ｔは、例えば、アンケート内容が印刷されたアンケート用紙、チケット、及びメッセージカードその他の印刷物である。ただし、圧着ハガキ１２に封入される内容物は、印刷物Ｔに限定されるものではなく、例えば樹脂製のシートや薄手の樹脂製のプレートであってもよい。すなわち、圧着ハガキ１２の内部に入れることができるものであれば、任意の物品でよい。
また、圧着ハガキ１２は、圧着ハガキ以外の圧着ＤＭ（ダイレクトメール）でもよく、更には、圧着面を剥がすことによって印字面を見ることができる任意の印刷物であってもよい。
【００１５】
印刷物入り圧着ハガキ作成装置（内容物入り印刷物作成装置）１０は、図２に示すように、第１の塗布機２０、折加工機３０、及び第２の塗布機４０を備えている。
【００１６】
第１の塗布機２０は、圧着ハガキ１２を構成するハガキ用紙（用紙の一例）Ｓに感圧糊（糊の一例）を塗布することができる。感圧糊は、図３に示すハガキ用紙Ｓの搬送方向中央部を通る中央線（後の折り目となる仮想的な線）Ｆにて形成される２つの内面ＳＦ１、ＳＦ２のうち、搬送方向前方側の内面ＳＦ１の端部であって、両方の長辺側の端部（第１の端部の一例）Ｐ１、Ｐ２にそれぞれ塗布される。
ただし、感圧糊は、端部Ｐ１、Ｐ２に塗布されることに限定されるものではなく、例えば、ハガキ用紙Ｓの両方の長辺側の先端から後端までの端部（端部Ｐ１、Ｐ２及び中央線Ｆにて折加工された際にこれら端部Ｐ１、Ｐ２に接触する部分）に塗布されてもよい。すなわち、感圧糊は、ハガキ用紙Ｓの両方の長辺側（ハガキＳの搬送方向に沿う辺の側）の端部の少なくとも一部（第１の端部の一例）に塗布され、ハガキ用紙Ｓが圧着できればよい。
【００１７】
折加工機３０は、図２に示すように、第１の塗布機２０よりもハガキ用紙Ｓの搬送方向下流側に配置され、感圧糊が塗布されたハガキ用紙Ｓに印刷物Ｔを入れて二つ折りに形成できる。
折加工機３０は、図３に示すように、搬送部３１０、供給部３２０、及び位置制御部３３０を有している。
【００１８】
搬送部３１０は、第１の塗布機２０によって感圧糊が塗布されたハガキ用紙Ｓを搬送できる。搬送部３１０は、中央線Ｆと交差する方向（ハガキ用紙Ｓの長手方向）が搬送方向となるようにハガキ用紙Ｓを搬送する。
搬送部３１０は、搬送ベルト３１２、第１のローラ３１４ａ、第２のローラ３１４ｂ、第３のローラ３１４ｃ、及び第４のローラ３１４ｄを有している。
搬送ベルト３１２は、感圧糊が塗布された側を上面側としてハガキ用紙Ｓを搬送できる。
【００１９】
第１のローラ３１４ａ及び第２のローラ３１４ｂは、矢印Ａ１で示すように、搬送ベルト３１２から搬送されて印刷物Ｔが載ったハガキ用紙Ｓを第１の用紙受け部３１６ａに送ることができる。第１の用紙受け部３１６ａには、ストッパ３１８ａが設けられ、このストッパ３１８ａには、二つ折りされたハガキ用紙Ｓが突き当たる（図４参照）。
ここで、第１のローラ３１４ａは、図３に示すように、印刷物Ｔが載ったハガキ用紙Ｓの上面側に接触する。ただし、第１のローラ３１４ａは、ハガキ用紙Ｓの感圧糊が塗布された端部Ｐ１、Ｐ２に接触しないように、第１のローラ３１４ａの幅の寸法Ｌ１が、感圧糊が塗布された端部Ｐ１と感圧糊が塗布された端部Ｐ２との間の距離Ｌ２よりも小さくなるように設定されている。
【００２０】
第２のローラ３１４ｂ及び第３のローラ３１４ｃは、矢印Ａ２で示すように、第１の用紙受け部３１６ａにある二つ折りされたハガキ用紙Ｓを第２の用紙受け部３１６ｂに送るとともに、ハガキ用紙Ｓを圧着できる。第２の用紙受け部３１６ｂには、ハガキ用紙Ｓが突き当たるストッパ３１８ｂが設けられている。
第３のローラ３１４ｃ及び第４のローラ３１４ｄは、矢印Ａ３で示すように、第２の用紙受け３１６ｂにあるハガキ用紙Ｓを搬送方向下流側に送ることができる。
【００２１】
供給部３２０は、給紙トレイ３２２及び搬送ベルト３２６を有し、印刷物Ｔを一枚ずつハガキ用紙Ｓの上に供給できる。
給紙トレイ３２２は、印刷物Ｔを複数収容できる。
搬送ベルト３２６は、給紙トレイ３２２からローラ３２４によって取り出された印刷物Ｔを、例えばバキュームによって吸着しながら搬送できる。搬送ベルト３２６は、搬送方向上流側よりも搬送方向下流側の高さ位置が低くなるように傾斜して配置されている。搬送ベルト３２６による印刷物Ｔの搬送方向は、平面視してハガキ用紙Ｓの中央線Ｆと交差する方向であり、搬送ベルト３１２によるハガキ用紙Ｓの搬送方向であることが好ましい。
【００２２】
位置制御部３３０は、供給部３２０から搬送される印刷物Ｔをハガキ用紙Ｓの上に供給する位置を制御できる。詳細には、位置制御部３３０は、印刷物Ｔがハガキ用紙Ｓの中央線Ｆと後述する端部Ｐ３との間に載るように、その供給位置を制御できる。これにより、印刷物Ｔが圧着ハガキの内部にて折り込まれてしまったり、ハガキ用紙Ｓとともに圧着されてしまったりすることが抑制される。
位置制御部３３０は、搬送部３１０によって搬送されるハガキ用紙Ｓの位置を検出する第１の位置センサ３３２ａと、供給部３２０によって供給される印刷物Ｔの位置を検出する第２の位置センサ３３２ｂと、制御演算を行う制御器３３３と、を有し、制御器３３３が、これら第１の位置センサ３３２ａ及び第２の位置センサ３３２ｂの情報に基いて、搬送部３１０の搬送ベルト３１２の搬送速度を制御する。
なお、位置制御部３３０は、搬送部３１０の搬送ベルト３１２の搬送速度を制御することに代えて、搬送ベルト３２６の搬送速度を制御してもよい。
【００２３】
第２の塗布機４０は、図２に示すように、折加工機３０よりもハガキ用紙Ｓの搬送方向下流側に配置されている。第２の塗布機４０は、折加工機３０から搬送され、印刷物Ｔが入った状態で折加工されたハガキ用紙Ｓの短辺側の端部（第２の端部の一例）Ｐ３（図１（Ａ）参照）に感圧糊を塗布することができる。
【００２４】
次に、印刷物入り圧着ハガキ作成装置１０の動作について説明する。印刷物入り圧着ハガキ作成装置１０は、以下の工程に従って動作する。
（工程Ｓ１）
第１の塗布機２０（図２参照）に内容が印刷されたハガキ用紙Ｓが受け入れられ、ハガキ用紙Ｓの内面ＳＦ１の端部Ｐ１、Ｐ２（図３参照）にそれぞれ感圧糊が塗布される。
【００２５】
（工程Ｓ２）
第１の塗布機２０にて感圧糊が塗布されたハガキ用紙Ｓが搬送ベルト３１２によって搬送され、供給部３２０から供給された印刷物Ｔがハガキ用紙Ｓに載る。印刷物Ｔの供給位置は、位置制御部３３０によって制御される。
【００２６】
（工程Ｓ３）
第１のローラ３１４ａ及び第２のローラ３１４ｂによって、印刷物Ｔが載ったハガキ用紙Ｓが第１の用紙受け部３１６ａに送られる。なお、第１のローラ３１４ａの寸法Ｌ１が感圧糊が塗布された部分と感圧糊が塗布された端部Ｐ１、Ｐ２との間の距離Ｌ２よりも小さく設定されているため、第１のローラ３１４ａに感圧糊が接触することが回避される。
第１の用紙受け部３１６ａに送られたハガキ用紙Ｓは、図４に示すように、内側に印刷物Ｔが挟まった状態で二つ折りされる。
【００２７】
（工程Ｓ４）
第２のローラ３１４ｂ及び第３のローラ３１４ｃによって、二つ折りされたハガキ用紙Ｓが第２の受け部３１６ｂに送られる。その際、ハガキ用紙Ｓは印刷物Ｔを挟んだ状態で両方の長辺側の端部Ｐ１、Ｐ２が圧着される。なお、図４において、第２の用紙受け部３１６ｂにあるハガキ用紙Ｓは、印刷物Ｔが挟まれていることを示すために模式的に表している。
付言すると、第２の受け部３１６ｂにある折加工されたハガキ用紙Ｓは、短辺側の端部Ｐ３（図１参照）が未だ圧着されていない状態である。
【００２８】
（工程Ｓ５）
第３のローラ３１４ｃ及び第４のローラ３１４ｄによって、第２の受け部３１６ｂにあるハガキ用紙Ｓが第２の塗布機４０へと送られる。
【００２９】
（工程Ｓ６）
第２の塗布機４０にて、折加工されたハガキ用紙Ｓの内側に位置する短辺側の端部Ｐ３に感圧糊が塗布される。
その後、ハガキ用紙Ｓが圧着されると、長辺側の端部Ｐ１、Ｐ２及び短辺側の端部Ｐ３の合計３箇所が圧着された圧着ハガキ１２が作成される。
【００３０】
以上説明したように、本実施の形態に係る印刷物入り圧着ハガキ作成装置１０によれば、印刷物Ｔが内部に入った圧着ハガキを作成できる。
【００３１】
以上、本発明の実施の形態を説明したが、本発明は、上記した形態に限定されるものでなく、要旨を逸脱しない条件の変更等は全て本発明の適用範囲である。
圧着ハガキは、二つ折りに形成されてもよいし、図１（Ｂ）に示す圧着ハガキ１２ａのように、例えば、内三つ折りに形成されてもよい。ただし、圧着ハガキの形状が内三つ折りとなる場合には、折加工機は、内三つ折りに対応したローラや用紙受け部の構成となる。
【符号の説明】
【００３２】
１０  圧着ハガキ作成装置
１２、１２ａ  圧着ハガキ
２０  第１の塗布機
３０  折加工機
４０  第２の塗布機
３１０  搬送部
３１２  搬送ベルト
３１４ａ  第１のローラ
３１４ｂ  第２のローラ
３１４ｃ  第３のローラ
３１４ｄ  第４のローラ
３１６ａ  第１の用紙受け部
３１６ｂ  第２の用紙受け部
３１８ａ、３１８ｂ  ストッパ
３２０  供給部
３２２  給紙トレイ
３２４  ローラ
３２６  搬送ベルト
３３０  位置制御部
３３２ａ  第１の位置センサ
３３２ｂ  第２の位置センサ
３３３  制御器
Ｆ  中央線
Ｐ１、Ｐ２、Ｐ３  端部
Ｓ  ハガキ用紙
ＳＦ１、ＳＦ２  内面
Ｔ  印刷物
【図１】
2019119123.tif 000003
【図２】
2019119123.tif 000004
【図３】
2019119123.tif 000005
【図４】
2019119123.tif 000006